(57)【要約】【課題】  押上板を上方に押し上げて、押上板の上に載置された用紙を給紙ローラーによって給紙させる場合に、前記の用紙が給紙ローラーに適切に接触して確実に給紙されるようにする。【解決手段】  押上板211を上方に押し上げて、この押上板の上に載置された用紙Sを給紙ローラーによって給紙させるにあたり、押上板の上に載置された用紙の先端を検出する用紙先端検出装置43を設けると共に、押上板の給紙方向下流側の部分に下方に傾斜する折り曲げ部211cを設け、この折り曲げ部の折り曲げ位置211bを、用紙先端検出装置によって用紙の先端を検出する検出位置よりも給紙方向上流側に位置させると共に、押上板を上方に押し上げた状態で、この押上板の折り曲げ部が給紙ローラーに接触して、用紙が給紙されるようにした。【選択図】  図７
2014040312.tif 000002
【特許請求の範囲】
【請求項１】
用紙が載置された押上板を上方に押し上げて、押上板の上に載置された用紙を給紙ローラーに接触させ、この給紙ローラーを回転させて、押上板の上に載置された用紙を給紙させると共に、給紙ローラーによる給紙位置よりも給紙方向下流側の位置に捌き部材を設け、この捌き部材と前記の給紙ローラーとの間で給紙された用紙を捌くようにした給紙装置において、押上板の上に載置された用紙の先端を検出する用紙先端検出装置を設けると共に、前記の押上板の給紙方向下流側の部分に下方に傾斜する折り曲げ部を設け、この折り曲げ部の折り曲げ位置を、前記の用紙先端検出装置によって用紙の先端を検出する検出位置よりも給紙方向上流側に位置させると共に、前記の押上板を上方に押し上げた状態で、この押上板の折り曲げ部が前記の給紙ローラーに接触することを特徴とする給紙装置。
【請求項２】
請求項１に記載の給紙装置において、前記の押上板は、給紙方向上流側の端部における回動支点において上下方向に回動されることを特徴とする給紙装置。
【請求項３】
請求項１又は請求項２に記載の給紙装置において、前記の用紙先端検出装置として、前記の押上板の上に載置された用紙の先端と接触して回動するレバー部材と、このレバー部材の回動を検知する検知装置とを設けたことを特徴とする給紙装置。
【請求項４】
請求項１〜請求項３の何れか１項に記載の給紙装置において、前記の押上板における折り曲げ部と、前記の給紙ローラーと捌き部材との接線とのなす角度が鈍角になるようにしたことを特徴とする給紙装置。
【請求項５】
請求項４に記載の給紙装置において、前記の押上板における折り曲げ部と、前記の給紙ローラーと捌き部材との接線とのなす角度が鈍角になるように調整するにあたり、前記の押上板における回動支点から前記の折り曲げ位置までの距離、前記の押上板における回動支点から前記の給紙ローラーの回転中心までの距離、前記の押上板における折り曲げ部の折り曲げ角度の少なくとも１つを調整することを特徴とする給紙装置。
【請求項６】
請求項１〜請求項５の何れか１項に記載の給紙装置において、前記の給紙ローラーによる用紙の給紙位置と前記の捌き部材との間に、給紙ローラーによって給紙された用紙を給紙ローラーと捌き部材との間に案内するガイド部材を設けたことを特徴とする給紙装置。
【請求項７】
用紙を給紙させる給紙装置として、請求項１〜請求項６の何れか１項に記載の給紙装置を用いたことを特徴とする画像形成装置。
【発明の詳細な説明】
【技術分野】
【０００１】
本発明は、用紙を給紙させる給紙装置及びこのような給紙装置を備えた画像形成装置に関するものである。特に、用紙が載置された押上板を上方に押し上げて、押上板の上に載置された用紙を給紙ローラーに接触させ、この給紙ローラーを回転させて、押上板の上に載置された用紙を給紙させると共に、給紙ローラーによる給紙位置よりも給紙方向下流側の位置に捌き部材を設け、この捌き部材と前記の給紙ローラーとの間で給紙された用紙を捌くようにした給紙装置において、押上板を上方に押し上げた場合に、押上板の上に載置された用紙がずれたりするのを抑制し、押上板の上に載置された用紙が給紙ローラーに適切に接触し、この給紙ローラーにより用紙が確実に給紙されるようにした点に特徴を有するものである。
【背景技術】
【０００２】
複写機、プリンター、ファクシミリ及びこれらの複合機からなる画像形成装置において、用紙を給紙させるにあたっては、特許文献１等に示されるように、一般に、押上板等の上に載置された用紙の上にピックアップローラーを接触させ、このピックアップローラーにより用紙を押上板等の上から引き出した後、この用紙を給紙ローラーと捌きローラーとの間に導き、重送されてきた用紙を給紙ローラーと捌きローラーとの間で分離させて、１枚の用紙を給紙ローラーによって搬送させるようにしたものが用いられていた。
【０００３】
しかし、このように給紙ローラーと捌きローラーの他にピックアップローラーを設けた場合、給紙装置における部品数が多くなり、装置が複雑化して大型化すると共に、コストが高く付く等の問題があった。
【０００４】
このため、画像形成装置における手差しトレイや小型の画像形成装置等においては、装置を簡素化させるために、ピックアップローラーをなくし、図１（Ａ）に示すように、押上板１の上に載置された用紙Ｓの先端を用紙先端検出装置２によって検出させるようにし、この用紙先端検出装置２によって押上板１の上に載置された用紙Ｓの先端を検出した後、前記の押上板１の給紙方向上流側の端部における回動支点１ａを支点としてバネ等の押し上げ部材３により上方に回動させるように持ち上げて、この押上板１の上に載置された用紙Ｓを給紙ローラー４により押上板１の上から給紙させて、給紙ローラー４と捌きローラー５との間に導くようにしたものが用いられている。
【０００５】
しかし、このように用紙先端検出装置２によって押上板１の上に載置された用紙Ｓの先端を検出した後、給紙方向上流側の端部における回動支点１ａを支点として押上板１を上方に回動させるように持ち上げた場合に、押上板１の上に載置された用紙Ｓが給紙方向上流側にずれたりし、また図１（Ｂ）に示すように、押上板１を上方に回動させるのに伴って、押上板１の上に載置された用紙Ｓの先端が給紙ローラー４から給紙方向上流側に離れる方向に持ち上げられ、これにより、持ち上げられた押上板１の上における用紙Ｓが給紙ローラー４に接触されなくなって、押上板１の上に載置された用紙Ｓが給紙ローラー４によって適切に給紙されなくなる等の問題があった。
【先行技術文献】
【特許文献】
【０００６】
【特許文献１】特開平１０−１２０１９８号公報
【発明の開示】
【発明が解決しようとする課題】
【０００７】
本発明は、用紙が載置された押上板を上方に押し上げて、押上板の上に載置された用紙を給紙ローラーに接触させ、この給紙ローラーを回転させて、押上板の上に載置された用紙を給紙させると共に、給紙ローラーによる給紙位置よりも給紙方向下流側の位置に捌き部材を設け、この捌き部材と前記の給紙ローラーとの間で給紙された用紙を捌くようにした給紙装置及びこのような給紙装置を備えた画像形成装置において、押上板を上方に押し上げた場合に、押上板の上に載置された用紙がずれたりするのを抑制し、押上板の上に載置された用紙が給紙ローラーに適切に接触して、この給紙ローラーにより用紙が確実に給紙されるようにすることを課題とするものである。
【課題を解決するための手段】
【０００８】
本発明における給紙装置においては、前記のような課題を解決するため、用紙が載置された押上板を上方に押し上げて、押上板の上に載置された用紙を給紙ローラーに接触させ、前記の給紙ローラーを回転させて、押上板の上に載置された用紙を給紙させると共に、給紙ローラーによる給紙位置よりも給紙方向下流側の位置に捌き部材を設け、この捌き部材と前記の給紙ローラーとの間で給紙された用紙を捌くようにした給紙装置において、押上板の上に載置された用紙の先端を検出する用紙先端検出装置を設けると共に、前記の押上板の給紙方向下流側の部分に下方に傾斜する折り曲げ部を設け、この折り曲げ部の折り曲げ位置を、前記の用紙先端検出装置によって用紙の先端を検出位置よりも給紙方向上流側に位置させると共に、前記の押上板を上方に押し上げた状態で、この押上板の折り曲げ部が前記の給紙ローラーに接触するようにした。
【０００９】
このように、折り曲げ部の折り曲げ位置を、用紙先端検出装置によって用紙の先端を検出する検出位置よりも給紙方向上流側に位置させると、押上板の上に載置された用紙の先端が、折り曲げ部の折り曲げ位置を超えた状態で前記の用紙先端検出装置によって検出されるようになる。また、押上板を上方に押し上げた状態で、押上板の折り曲げ部が給紙ローラーに接触するようにした場合、この折り曲げ部に保持された用紙が給紙ローラーと確実に接触するようになる。
【００１０】
ここで、前記のように押上板を上方に押し上げるにあたっては、押上板の給紙方向上流側の端部に押上板を上下方向に回動させる回動支点を設け、この回動支点において、押上板を上方に回動させるようにすることができる。
【００１１】
また、前記の用紙先端検出装置としては、例えば、前記の押上板の上に載置された用紙の先端と接触して回動するレバー部材と、このレバー部材の回動を検知する検知装置とを設けることができる。
【００１２】
また、前記のように給紙ローラーによって給紙された用紙が、給紙位置よりも給紙方向下流側に設けられた前記の捌き部材との間に適切に導かれるようにするため、前記の押上板における折り曲げ部と、前記の給紙ローラーと捌き部材との接線とのなす角度が鈍角になるようにしたり、また前記の給紙ローラーによる用紙の給紙位置と前記の捌き部材との間に、給紙ローラーによって給紙された用紙を給紙ローラーと捌き部材との間に案内するガイド部材を設けたりすることが好ましい。なお、前記のように押上板における折り曲げ部と、給紙ローラーと捌き部材との接線とのなす角度が鈍角になるようにするにあたっては、例えば、前記の押上板における回動支点から前記の折り曲げ位置までの距離、前記の押上板における回動支点から前記の給紙ローラーの回転中心までの距離、前記の押上板における折り曲げ部の折り曲げ角度の少なくとも１つを調整させるようにすることができる。
【００１３】
また、本発明の画像形成装置においては、前記のような給紙装置を用いて、押上板の上に載置された用紙を給紙させるようにした。
【発明の効果】
【００１４】
本発明の給紙装置においては、押上板の給紙方向下流側の部分に下方に傾斜する折り曲げ部を設け、この折り曲げ部の折り曲げ位置を、用紙先端検出装置によって用紙の先端を検出位置よりも給紙方向上流側に位置させるようにしたため、押上板の上に載置された用紙の先端が折り曲げ部の折り曲げ位置を超えた状態で用紙先端検出装置によって検出されるようになる。
【００１５】
そして、この状態で押上板を上方に押し上げた場合、押上板の上に載置された用紙が、下方に傾斜した押上板の折り曲げ部に保持されて、用紙が給紙方向上流側にずれたりするのが防止されるようになる。
【００１６】
さらに、押上板を上方に押し上げた状態で、押上板の折り曲げ部が給紙ローラーに接触するようにしたため、前記のように折り曲げ部に保持された用紙が給紙ローラーと確実に接触するようになる。
【００１７】
この結果、本発明の給紙装置においては、用紙が載置された状態で押上板を上方に押し上げた場合に、押上板の上に載置された用紙がずれたりするのが抑制され、押上板の上に載置された用紙が給紙ローラーに適切に接触し、この給紙ローラーによって用紙が確実に給紙されるようになる。
【図面の簡単な説明】
【００１８】
【図１】用紙が載置された押上板を押し上げて、押上板の上に載置された用紙を給紙ローラーによって給紙する従来の給紙装置において、（Ａ）は押上板を押し上げる前の状態を、（Ｂ）は押上板を押し上げた状態を示した概略説明図である。
【図２】本発明の実施形態に係る給紙装置によって手差しトレイにセットされた用紙を給紙させるようにした画像形成装置の概略説明図である。
【図３】前記の実施形態に係る給紙装置において、給紙方向下流側の部分に下方に傾斜する折り曲げ部が設けられた押上板を、手差しトレイの給紙方向先端側に上下方向に回動可能に設け、この押上板を下方に回動させて押し下げた状態を示した概略側面図である。
【図４】前記の実施形態に係る給紙装置において、前記の押上板を上方に回動させて押し上げ、この押上板の折り曲げ部を給紙ローラーに接触させた状態を示した概略側面図である。
【図５】前記の実施形態に係る給紙装置において、前記の押上板の上に載置された用紙の先端を検出する用紙先端検出装置の例を示し、押上板における折り曲げ部の先端側に設けられた切込みを通して、レバー部材を押上板の上に突出させ、このレバー部材の回動を検知装置によって検知する状態を示した部分斜視図である。
【図６】前記の実施形態に係る給紙装置において、前記の押上板を押し下げた状態で、手差しトレイにセットされた用紙の先端を、前記の用紙先端検出装置によって検出する状態を示した概略側面図である。
【図７】前記の実施形態に係る給紙装置において、手差しトレイにセットされた用紙の先端を用紙先端検出装置によって検出した後、前記の押上板を押し上げて、押上板の上に載置された用紙の先端部を給紙ローラーに接触させた状態を示した概略側面図である。
【図８】前記の実施形態に係る給紙装置において、前記の押上板が押し上げられた状態で、押上板における折り曲げ部と、給紙ローラーと捌きローラーとの接線とのなす角度θが鈍角になった状態を示した概略側面図である。
【図９】前記の実施形態に係る給紙装置において、前記の押上板に数多くの用紙が積載されて押上板が下方に回動された状態でも、押上板における折り曲げ部と、給紙ローラーと捌きローラーとの接線とのなす角度θが鈍角になった状態を示した概略側面図である。
【図１０】前記の実施形態に係る給紙装置において、押上板における折り曲げ部と、給紙ローラーと捌きローラーとの接線とのなす角度θが鈍角になるように、押上板における回動支点から折り曲げ位置までの距離Ｌ１や、押上板における回動支点から給紙ローラーの回転中心までの距離Ｌ２や、押上板における折り曲げ部の折り曲げ角度αを調整する例を示した概略側面図である。
【図１１】本発明の実施形態に係る給紙装置を、図２に示した画像形成装置における自動給紙読取装置に使用した場合において、給紙方向下流側の部分に下方に傾斜する折り曲げ部が設けられた押上板を、原稿用トレイの給紙方向先端側に上下方向に回動可能に設け、この押上板を下方に回動させて押し下げた状態を示した概略側面図である。
【図１２】図１１に示した給紙装置において、前記の押上板を上方に回動させて押し上げ、この押上板の折り曲げ部を給紙ローラーに接触させた状態を示した概略側面図である。
【発明を実施するための形態】
【００１９】
次に、この発明の実施形態に係る給紙装置及びこの給紙装置を用いる画像形成装置を添付図面に基づいて具体的に説明する。なお、本発明に係る給紙装置及び画像形成装置は、下記の実施形態に示したものに限定されず、その要旨を変更しない範囲において適宜変更して実施できるものである。
【００２０】
この実施形態における画像形成装置１０においては、図２に示すように、用紙にトナー画像を形成する画像形成装置部２０の上に、原稿等における画像を読み取る画像読取装置部３０を設けると共に、この画像読取装置部３０に、原稿からなる用紙を原稿用トレイ３１１から自動的に給紙して、この用紙における画像を読み取る自動給紙読取装置３１を設けている。
【００２１】
そして、この画像形成装置１０における前記の画像形成装置部２０においては、手差しトレイ２１にセットされた用紙Ｓや給紙カセット２２に収容された用紙Ｓを給紙させるようにしている。
【００２２】
ここで、前記の手差しトレイ２１にセットされた用紙Ｓを給紙させるにあたっては、後述するように、この手差しトレイ２１における給紙方向先端側に設けられた押上板２１１を押し上げ、給紙ローラー４１や捌きローラー（捌き部材）４２を備えた本発明の実施形態に係る給紙装置４０を用いて、この手差しトレイ２１にセットされた用紙Ｓを給紙させ、このように給紙された用紙Ｓを一対のレジストローラー２３間に導くようにしている。
【００２３】
一方、給紙カセット２２に収容された用紙Ｓを給紙させるにあたっては、この給紙カセット２２に設けられた押上板２２１を上方に押し上げて、この押上板２２１の上にセットされた用紙Ｓをピックアップローラー２２２に接触させ、このピックアップローラー２２２により用紙Ｓを給紙カセット２２から給紙させて、給紙ローラー２２３と捌きローラー２２４との間に導き、用紙Ｓが重送されている場合には、この給紙ローラー２２３と捌きローラー２２４と間で用紙Ｓを分離させて、一枚の用紙Ｓを前記の一対のレジストローラー２３間に導くようにしている。
【００２４】
また、この画像形成装置部２０においては、感光体２４１と、この感光体２４１の表面を帯電させる帯電装置２４２と、帯電された感光体２４１の表面に画像情報に基づく露光を行って静電潜像を形成する潜像形成装置２４３と、感光体２４１の表面に形成された静電潜像にトナーを供給してトナー画像を形成する現像装置２４４等とを備えた４つのイメージングカートリッジ２４Ａ〜２４Ｄを設け、各イメージングカートリッジ２４Ａ〜２４Ｄにおける各現像装置２４４においては、黒色，黄色，マゼンダ色，シアン色の異なった色彩のトナーを収容させている。
【００２５】
そして、前記の各イメージングカートリッジ２４Ａ〜２４Ｄにおける各感光体２４１の表面に形成された静電潜像に、前記の各現像装置２４４からそれぞれの色彩のトナーを供給して、各感光体２４１の表面にそれぞれの色彩のトナー画像を形成するようにしている。
【００２６】
また、このようにして各イメージングカートリッジ２４Ａ〜２４Ｄにおける各感光体２４１の表面に形成された各色彩のトナー画像を、回転駆動される中間転写ベルト２５に転写させて、この中間転写ベルト２５の上に各色彩のトナー画像が合成されたトナー画像を形成するようにしている。
【００２７】
そして、このように中間転写ベルト２５の上に形成されたトナー画像を転写ローラー２６と対向する位置に導く一方、前記のように一対のレジストローラー２３間に導かれた用紙Ｓを、このレジストローラー２３により適当なタイミングで前記の中間転写ベルト２５と転写ローラー２６との間に導き、中間転写ベルト２５の上に形成された前記のトナー画像を、この用紙Ｓに転写させるようにしている。
【００２８】
次いで、このようにトナー画像が転写された用紙Ｓを定着装置２７に導き、この定着装置２７により前記のトナー画像を用紙Ｓに加熱定着させた後、このようにトナー画像が加熱定着された用紙Ｓを排紙ローラー２８により排紙部２９に排紙させるようにしている。
【００２９】
ここで、この実施形態における給紙装置４０において、前記のように手差しトレイ２１にセットされた用紙Ｓを給紙させるにあたっては、図３及び図４に示すように、前記の押上板２１１の給紙方向上流側の端部における回動支点２１１ａの位置において、押上板２１１を上下方向に回動させるようにすると共に、この押上板２１１の給紙方向下流側の部分を折り曲げ位置２１１ｂにおいて下方に折り曲げ、この押上板２１１の給紙方向下流側の部分に下方に傾斜した折り曲げ部２１１ｃを形成している。
【００３０】
そして、図３に示すように、押上板２１１を下方に押し下げた状態から、図４に示すように、この押上板２１１を前記の回動支点２１１ａの位置において上方に回動させて押し上げた状態では、この押上板２１１の折り曲げ部２１１ｃが前記の給紙ローラー４１と接触するようにしている。
【００３１】
また、この押上板２１１の上に載置された用紙Ｓの先端を検出する用紙先端検出装置４３として、この実施形態においては、前記の押上板２１１の上に載置された用紙Ｓの先端と接触して回動するレバー部材４３１と、このレバー部材４３１の回動を検知する検知装置４３２とを設けている。
【００３２】
ここで、前記のレバー部材４３１を設けるにあたっては、図５に示すように、押上板２１１における前記の折り曲げ部２１１ｃの先端側に切込み２１１ｄを設け、この押上板２１１の折り曲げ位置よりも給紙方向下流側の位置において、前記のレバー部材４３１を、押上板２１１の下からこの切込み２１１ｄを通して押上板２１１の上に突出させるようにしている。
【００３３】
そして、図６に示すように、押上板２１１の上に載置された用紙Ｓの先端がこのレバー部材４３１に接触して、レバー部材４３１が回動した場合には、レバー部材４３１の回動を前記の検知装置４３２によって検知し、押上板２１１の上に載置された用紙Ｓの先端を検出するようにしている。
【００３４】
このようにすると、押上板２１１の上に載置された用紙Ｓの先端が、押上板２１１における折り曲げ位置２１１ｂを超えて折り曲げ部２１１ｃに導かれた状態で、前記の用紙先端検出装置４３によって検出されるようになる。
【００３５】
そして、このように用紙Ｓの先端が押上板２１１における折り曲げ位置２１１ｂを超えて折り曲げ部２１１ｃに導かれた状態で、前記のように押上板２１１を上方に回動させて押し上げた場合、図７に示すように、押上板２１１の上に載置された用紙Ｓの先端部が、下方に傾斜した折り曲げ部２１１ｃに保持されて給紙方向上流側にずれるのが防止されると共に、折り曲げ部２１１ｃに保持された用紙Ｓが前記の給紙ローラー４１と確実に接触し、押上板２１１の上に載置された用紙Ｓがこの給紙ローラー４１によって確実に給紙されるようになり、給紙ミスが発生するのが防止される。
【００３６】
そして、このように給紙ローラー４１によって押上板２１１の上から給紙された用紙Ｓを、この給紙ローラー４１と捌きローラー４２との間に導き、用紙Ｓが重送されている場合には、この給紙ローラー４１と捌きローラー４２との間で用紙Ｓを分離させて、一枚の用紙Ｓを前記の一対のレジストローラー２３間に導くようにしている。
【００３７】
また、前記のように給紙ローラー４１によって押上板２１１の上から給紙された用紙Ｓが、この給紙ローラー４１と捌きローラー４２との間に適切に導かれるようにするため、この実施形態においては、前記の給紙ローラー４１による用紙Ｓの給紙位置と前記の捌きローラー４２との間に、給紙ローラー４１によって給紙された用紙Ｓを給紙ローラー４１と捌きローラー４２との間に案内するガイド部材４４を設けると共に、図８に示すように、前記の押上板２１１における折り曲げ部２１１ｃと、前記の給紙ローラー４１と捌きローラー４２との接線とのなす角度θが鈍角になるようにしている。
【００３８】
また、前記の押上板２１１の上に数多くの用紙Ｓが積載されて、押上板２１１が下方に回動された状態においても、給紙ローラー４１によって押上板２１１の上から給紙された用紙Ｓが、この給紙ローラー４１と捌きローラー４２との間に適切に導かれるようにするため、図９に示すように、押上板２１１が下方に回動された状態においても、この押上板２１１における折り曲げ部２１１ｃと、前記の給紙ローラー４１と捌きローラー４２との接線とのなす角度θが鈍角になるように調整することが好ましい。
【００３９】
ここで、前記の押上板２１１における折り曲げ部２１１ｃと、前記の給紙ローラー４１と捌きローラー４２との接線とのなす角度θが鈍角になるように調整するにあたっては、一般に、図１０に示すように、押上板２１１における回動支点２１１ａから前記の折り曲げ位置２１１ｂまでの距離Ｌ１や、押上板２１１における回動支点２１１ａから前記の給紙ローラー４１の回転中心までの距離Ｌ２や、押上板２１１における折り曲げ部２１１ｃの折り曲げ角度α等を調整させるようにする。また、このようにして押上板２１１における折り曲げ部２１１ｃと、前記の給紙ローラー４１と捌きローラー４２との接線とのなす角度θを調整する場合、押上板２１１における回動支点２１１ａから前記の折り曲げ位置２１１ｂまでの距離Ｌ１や、押上板２１１における回動支点２１１ａから前記の給紙ローラー４１の回転中心までの距離Ｌ２を長くし、また押上板２１１における折り曲げ部２１１ｃの折り曲げ角度αを小さくすることにより、前記の角度θを大きくすることができる。
【００４０】
なお、前記の実施形態における画像形成装置１０においては、本発明の実施形態に係る給紙装置４０を、手差しトレイ２１にセットされた用紙Ｓを給紙させるのに使用するようにしただけであるが、本発明の実施形態に係る給紙装置４０を使用する場所はこれに限定されない。例えば、図示していないが、前記の給紙カセット２２に収容された用紙Ｓを給紙させる場合に、本発明の実施形態に係る給紙装置を用いるようにすることも可能である。
【００４１】
また、前記の画像形成装置１０における画像読取装置部３０に設けられた自動給紙読取装置３１において、原稿からなる用紙Ｓを原稿用トレイ３１１の上から自動的に給紙させるのに、本発明の実施形態に係る給紙装置４０を用いるようにすることも可能である。
【００４２】
ここで、自動給紙読取装置３１において、本発明の実施形態に係る給紙装置４０を用いるにあたっても、前記の場合と略同様であり、図１１及び図１２に示すように、画像を読み取る用紙Ｓをセットする原稿用トレイ３１１の給紙方向先端側に押上板３１２を設け、この押上板３１２の給紙方向上流側の端部における回動支点３１２ａの位置において、この押上板３１２を上下方向に回動させるようにすると共に、この押上板３１２の給紙方向下流側の部分を折り曲げ位置３１２ｂにおいて下方に折り曲げ、この押上板３１２の給紙方向下流側の部分に下方に傾斜した折り曲げ部３１２ｃを形成する。
【００４３】
そして、この押上板３１２を前記の回動支点３１２ａの位置において上方に回動させて押し上げた状態では、この押上板３１２の折り曲げ部３１２ｃが給紙ローラー４１に接触されるようにする。
【００４４】
また、この押上板３１２の上に載置された用紙Ｓの先端を検出する用紙先端検出装置４３として、前記の場合と同様に、押上板３１２の上に載置された用紙Ｓの先端と接触して回動するレバー部材４３１と、このレバー部材４３１の回動を検知する検知装置４３２とを設け、このレバー部材４３１に押上板３１２の上に載置された用紙Ｓの先端が接触して、このレバー部材４３１が回動した場合、このレバー部材４３１の回動を前記の検知装置４３２によって検知し、押上板３１２の上に載置された用紙Ｓの先端を検出させるようにする。
【００４５】
このようにすると、前記の場合と同様に、押上板３１２の上に載置された用紙Ｓの先端が、押上板３１２における折り曲げ位置３１２ｂを超えて折り曲げ部３１２ｃに導かれた状態で、前記の用紙先端検出装置４３によって用紙Ｓの先端が検出されるようになる。
【００４６】
そして、この状態で、前記の押上板３１２を上方に回動させて押し上げた場合、押上板３１２の上に載置された用紙Ｓの先端部が、下方に傾斜した折り曲げ部３１２ｃに保持されて給紙方向上流側にずれるのが防止されると共に、折り曲げ部３１２ｃに保持された用紙Ｓが給紙ローラー４１と確実に接触するようになる。
【００４７】
この結果、前記の場合と同様に、押上板３１２の上に載置された用紙Ｓがこの給紙ローラー４１によって確実に給紙されて、この給紙ローラー４１と捌きローラー４２との間に適切に導かれるようになり、給紙ミスが発生するのが防止される。
【符号の説明】
【００４８】
１０  画像形成装置
２０  画像形成装置部
２１  手差しトレイ
２１１  押上板，２１１ａ  回動支点，２１１ｂ  折り曲げ位置，２１１ｃ  折り曲げ部，２１１ｄ  切込み
２２  給紙カセット
２２１  押上板，２２２  ピックアップローラー，２２３  給紙ローラー，２２４  捌きローラー
２３  レジストローラー
２４Ａ〜２４Ｄ  イメージングカートリッジ
２４１  感光体，２４２  帯電装置，２４３  潜像形成装置，２４４  現像装置
２５  中間転写ベルト
２６  転写ローラー
２７  定着装置
２８  排紙ローラー
２９  排紙部
３０  画像読取装置部
３１  自動給紙読取装置
３１１  原稿用トレイ
３１２  押上板，３１２ａ  回動支点，３１２ｂ  折り曲げ位置，３１２ｃ  折り曲げ部
４０  給紙装置
４１  給紙ローラー
４２  捌きローラー（捌き部材）
４３  用紙先端検出装置，４３１  レバー部材，４３２  検知装置
４４  ガイド部材
Ｓ  用紙
θ  押上板の折り曲げ部と、給紙ローラーと捌きローラーとの接線とのなす角度
Ｌ１  押上板の回動支点から折り曲げ位置までの距離
Ｌ２  押上板の回動支点から給紙ローラーの回転中心までの距離
α  折り曲げ部の折り曲げ角度
【図１】
2014040312.tif 000003
【図２】
2014040312.tif 000004
【図３】
2014040312.tif 000005
【図４】
2014040312.tif 000006
【図５】
2014040312.tif 000007
【図６】
2014040312.tif 000008
【図７】
2014040312.tif 000009
【図８】
2014040312.tif 000010
【図９】
2014040312.tif 000011
【図１０】
2014040312.tif 000012
【図１１】
2014040312.tif 000013
【図１２】
2014040312.tif 000014